(57)【要約】【課題】偏位平面手首入力。【解決手段】ユーザの手首の上で方向付けされるように構成されるディスプレイの上で少なくとも１つのインタフェース要素の表示をさせるステップと、偏位平面に対する偏位平面方向における身体運動を示す偏位平面手首入力を示す情報を受信するステップと、少なくとも部分的には、インタフェース要素および、インタラクション方向に基づいて、インタラクション動作を決定するステップと、インタラクション動作の実行をさせるステップと、を含む方法が、開示される。【選択図】図３Ｂ
2018116730.tif 000002
【特許請求の範囲】
【請求項１】
少なくとも１つのプロセッサと、コンピュータ・プログラム・コードを含む少なくとも１つのメモリとを備える装置であって、該メモリおよび該コンピュータ・プログラム・コードは、
前記プロセッサと共に動作して、前記装置に、少なくとも、ディスプレイの上部がユーザの尺骨に近接し、該ディスプレイの下部が該ユーザの橈骨に近接しているように、該ユーザの手首の上で方向付けされるように構成される少なくとも１つのインタフェース要素を、ディスプレイの上に表示をさせることと、
偏位平面方向における身体運動を示す偏位平面手首入力を示す情報を受信することであって、該偏位平面は、該手首の橈側偏位および該手首の尺側偏位に整列する平面であり、該偏位平面方向は、前記偏位平面に対する方向である、受信することと、
少なくとも部分的には、前記インタフェース要素および、前記偏位平面方向に対応するインタラクション方向に基づいて、インタラクション動作を決定することと、
前記インタラクション動作の実行をさせることと、
を実行させるように構成されている、装置。
【請求項２】
前記手首の回外運動に関係なく、および、前記手首の回内運動に関係なく、前記偏位平面は、前記手首の橈側偏位および前記手首の尺側偏位に整列する、請求項１に記載の装置。
【請求項３】
前記メモリは、前記プロセッサと共に動作して、前記装置に、少なくとも部分的には、前記偏位平面方向に基づいて、インタラクション方向の決定を実行させるように構成されているコンピュータ・プログラム・コードを含む、請求項１に記載の装置。
【請求項４】
前記メモリは、前記プロセッサと共に動作して、前記装置に、中立偏位平面手首入力を示す情報の受信を実行させるように構成されているコンピュータ・プログラム・コードを含む、請求項１に記載の装置。
【請求項５】
前記メモリは、前記プロセッサと共に動作して、前記装置に、
少なくとも１つの異なるインタフェース要素の表示をさせることと、
異なる偏位平面手首入力を示す情報の受信することであって、前記インタフェース要素は、少なくとも部分的には、前記異なるインタフェース要素、および、前記異なる偏位平面手首入力に基づいている、受信すること、少なくとも部分的には、前記異なる偏位平面手首入力に基づいて、前記異なるインタフェース要素の表示を終了させることであって、前記インタフェース要素の表示をさせることは、少なくとも部分的には、前記異なる偏位平面手首入力に基づく、終了させることと、
を実行させるように構成されているコンピュータ・プログラム・コードを含む、請求項１に記載の装置。
【請求項６】
前記メモリは、前記プロセッサと共に動作して、前記装置に、イベントが起こったとの判断を実行させるように構成されているコンピュータ・プログラム・コードを含み、異なるインタフェース要素が、前記イベントの発生の通知に関する、請求項５に記載の装置。
【請求項７】
前記メモリは、前記プロセッサと共に動作して、前記装置に、前記インタフェース要素より下の別のインタフェース要素の表示をさせることを実行させるように構成されているコンピュータ・プログラム・コードを含み、偏位平面手首入力方向は、尺骨の方向に関するものであり、前記インタラクション方向は、上向き方向に関するものであり、前記インタラクション動作は、前記インタフェース要素の選択に関するものである、請求項１に記載の装置。
【請求項８】
前記インタラクション動作の決定は、前記インタフェース要素が、前記インタラクション方向に対応するとの判断を含む、請求項１に記載の装置。
【請求項９】
前記装置は、前記ディスプレイを備える、請求項１に記載の装置。
【請求項１０】
ディスプレイの上部がユーザの尺骨に近接し、該ディスプレイの下部がユーザの橈骨に近接しているように、ユーザの手首の上で方向付けされるように構成されるディスプレイの上で少なくとも１つのインタフェース要素の表示をさせるステップと、
偏位平面方向における身体運動を示す偏位平面手首入力を示す情報を受信するステップであって、該偏位平面は、該手首の橈側偏位および該手首の尺側偏位に整列する平面であり、該偏位平面方向は、前記偏位平面に対する方向である、ステップと、
少なくとも部分的には、前記インタフェース要素および、前記偏位平面方向に対応するインタラクション方向に基づいて、インタラクション動作を決定するステップと、前記インタラクション動作の実行をさせるステップと、
を含む方法。
【請求項１１】
前記手首の回外運動に関係なく、および、前記手首の回内運動に関係なく、前記偏位平面は、前記手首の橈側偏位および前記手首の尺側偏位に整列する、請求項１０に記載の方法。
【請求項１２】
少なくとも部分的には、前記偏位平面方向に基づいて、インタラクション方向を決定するステップを更に含む請求項１０に記載の方法。
【請求項１３】
中立偏位平面手首入力を示す情報を受信するステップを更に含む請求項１０に記載の方法。
【請求項１４】
少なくとも１つの異なるインタフェース要素の表示をさせるステップと、
異なる偏位平面手首入力を示す情報を受信するステップであって、前記インタフェース要素は、少なくとも部分的には、前記異なるインタフェース要素、および、前記異なる偏位平面手首入力に基づく、ステップと、
少なくとも部分的には、前記異なる偏位平面手首入力に基づいて、前記異なるインタフェース要素の表示の終了をさせるステップであって、前記インタフェース要素の表示をさせることは、少なくとも部分的には、前記異なる偏位平面手首入力に基づく、ステップと、
を更に含む、請求項１０に記載の方法。
【請求項１５】
イベントが起こったと判断するステップであって、異なるインタフェース要素が、前記イベントの発生の通知に関する、ステップを更に含む請求項１４に記載の方法。
【請求項１６】
前記インタフェース要素の下の別のインタフェース要素の表示をさせるステップであって、偏位平面手首入力方向は、尺骨の方向に関するものであり、前記インタラクション方向は、上向き方向に関するものであり、前記インタラクション動作は、前記インタフェース要素の選択に関するものである、ステップを更に含む請求項１０に記載の方法。
【請求項１７】
プロセッサにより実行されるとき、
ディスプレイの上部がユーザの尺骨に近接し、該ディスプレイの下部が該ユーザの橈骨に近接しているように、ユーザの手首の上で方向付けされるように構成される少なくとも１つのインタフェース要素を、ディスプレイの上に表示をさせるステップと、
偏位平面方向における身体運動を示す偏位平面手首入力を示す情報を受信するステップであって、該偏位平面は、該手首の橈側偏位および該手首の尺側偏位に整列する平面であり、該偏位平面方向は、前記偏位平面に対する方向である、ステップと、
少なくとも部分的には、前記インタフェース要素および、前記偏位平面方向に対応するインタラクション方向に基づいて、インタラクション動作を決定するステップと、前記インタラクション動作の実行をさせるステップと
を実行する命令を符号化した少なくとも１つのコンピュータ読取り可能メディア。
【請求項１８】
前記偏位平面は、前記手首の橈側偏位、および、前記手首の回外運動に関係なく、および、前記手首の回内運動に関係なく、前記手首の尺側偏位に整列する、請求項１７に記載のメディア。
【請求項１９】
更に、プロセッサにより実行されるとき、少なくとも部分的には、前記偏位平面方向に基づいて、インタラクション方向の決定を実行する命令を符号化した請求項１７に記載のメディア。
【請求項２０】
更に、プロセッサにより実行されるとき、中立偏位平面手首入力を示す情報の受信を実行する命令を符号化した請求項１７に記載のメディア。
【発明の詳細な説明】
【技術分野】
【０００１】
本出願は、一般に、偏位平面手首入力に関する。
【背景技術】
【０００２】
多くのユーザが、彼らの生活の多様な面をマネージするために、電子装置に依存するようになってきている。例えば、多くのユーザは、ユーザの電子装置の上のカレンダープログラムで、約束、会合、および、他のイベントの経過を追う。これに加えて、多くのユーザが、通信のために、および、種々のイベントの開催を決定するために電子装置を利用する。そこで、簡単で、直観的な方法で、ユーザが電子装置とインタラクトするのを可能にすることが望ましいことがあり得る。
【発明の概要】
【０００３】
本願発明の例の種々の態様が、請求項において、述べられている。
【０００４】
１つ以上の実施形態は、ディスプレイの上部がユーザの尺骨に近接し、ディスプレイの下部がユーザの橈骨に近接しているように、ユーザの手首の上で方向付けされるように構成されるディスプレイの上で、少なくとも１つのインタフェース要素の表示をさせ、偏位平面方向における身体運動を示す偏位平面手首入力を示す情報を受信させ、ここで、その偏位平面は、手首の橈側偏位および手首の尺側偏位に整列する平面である、ここで、偏位平面方向は、偏位平面に対する方向である、少なくとも部分的には、インタフェース要素および、偏位平面方向に対応するインタラクション方向に基づいて、インタラクション動作を決定させ、インタラクション動作の実行をさせるための装置、コンピュータ読取り可能メディア、固定コンピュータ読取可能メディア、コンピュータ・プログラム・プロダクト、および、方法を提供することができる。
【０００５】
１つ以上の実施形態が、ディスプレイの上部がユーザの尺骨に近接し、ディスプレイの下部が該ユーザの橈骨に近接しているように、ユーザの手首の上で方向付けされるように構成されるディスプレイの上で少なくとも１つのインタフェース要素の表示をさせる手段と、偏位平面方向における身体運動を示す偏位平面手首入力を示す情報を受信する手段と、ここで、偏位平面は、手首の橈側偏位および手首の尺側偏位に整列する平面であり、ここで、偏位平面方向は、偏位平面に対する方向であり、少なくとも部分的には、インタフェース要素および、偏位平面方向に対応するインタラクション方向に基づいて、インタラクション動作を決定する手段と、インタラクション操作の実行をさせる手段とを有する、装置、コンピュータ読取り可能メディア、コンピュータ・プログラム・プロダクト、および、固定コンピュータ読取可能メディアを提供することができる。
【０００６】
少なくとも１つの例示的実施形態において、ディスプレイが偏位平面と実質的に平行であるように、ディスプレイは、装着されるように構成される。
【０００７】
少なくとも１つの例示的実施形態において、偏位平面は、手首が解剖学的な位置にあるときに、前額面に対応する平面に関係する。
【０００８】
少なくとも１つの例示的実施形態において、手首の回外運動に関係なく、および、手首の回内運動に関係なく、偏位平面は、手首の橈側偏位および手首の尺側偏位に整列する。
【０００９】
少なくとも１つの例示的実施形態において、偏位平面に関する方向は、半径方向または尺骨方向のうちの少なくとも１つに関係する。
【００１０】
少なくとも１つの例示的実施形態において、橈側方向は、中立位置から橈側偏位の方への手首運動に対応する偏位平面の上での方向に関係する。
【００１１】
少なくとも１つの例示的実施形態において、尺骨方向は、中立位置から尺側偏位の方への手首運動に対応する偏位平面の上の方向に関するものである。
【００１２】
少なくとも１つの例示的実施形態において、身体運動は、尺側偏位または橈側偏位の少なくとも１つに関係する。
【００１３】
少なくとも１つの例示的実施形態において、身体運動は、内転または外転の少なくとも１つに関係する。
【００１４】
少なくとも１つの例示的実施形態において、身体運動は、親指の外転、および、偏位平面方向は、橈側方向に関係する方向に関係する。
【００１５】
少なくとも１つの例示的実施形態において、上方インタラクション方向は、尺側偏位平面方向に対応する。
【００１６】
少なくとも１つの例示的実施形態において、下方インタラクション方向は、橈側偏位平面方向に対応する。
【００１７】
少なくとも１つの例示的実施形態において、身体運動は、偏位平面に関する中立身体位置から、偏位平面に関する非中立的身体位置への変化に関係する。
【００１８】
少なくとも１つの例示的実施形態において、非中立的身体位置は、手首伸展位置、手首屈曲位置、尺側偏位位置、橈側偏位位置、または、指外転位置のうちの少なくとも１つに関係する。
【００１９】
少なくとも１つの例示的実施形態において、身体運動は、手首屈曲または手首伸展のうちの少なくとも１つを含む。そして、偏位平面方向は、偏位平面に対して幾何学的に垂直である方向に関係する。
【００２０】
少なくとも１つの例示的実施形態において、身体運動は、手首屈曲を含み、偏位平面方向は、偏位平面の下に幾何学的垂直に関係する。
【００２１】
少なくとも１つの例示的実施形態において、右方インタラクション方向は、偏位平面の下に幾何学的垂直に対応する。
【００２２】
少なくとも１つの例示的実施形態において、身体運動は、手首伸展を含み、偏位平面方向は、偏位平面の上に幾何学的垂直に関係する。
【００２３】
少なくとも１つの例示的実施形態において、右方インタラクション方向は、偏位平面の上に幾何学的垂直に対応する。
【００２４】
少なくとも１つの例示的実施形態において、インタラクション動作は、選択操作に関係する。
【００２５】
少なくとも１つの例示的実施形態において、選択操作は、インタフェース要素の選択に関係する。
【００２６】
少なくとも１つの例示的実施形態において、インタラクション操作は、メニュー項目インタフェース要素の表示をさせることに関係する。
【００２７】
１つ以上の例示的実施形態は、さらに、少なくとも部分的には、偏位平面方向に基づいて、インタラクション方向の決定を実行する。
【００２８】
少なくとも１つの例示的実施形態において、偏位平面方向は、指屈曲とは独立である。
【００２９】
少なくとも１つの例示的実施形態において、偏位平面方向は、指伸展とは独立である。
【００３０】
１つ以上の例示的実施形態は、さらに、中立偏位平面手首入力を示す情報の受信を実行する。
【００３１】
少なくとも１つの例示的実施形態において、中立偏位平面手首入力は、中立位置にある手首に関する。
【００３２】
１つ以上の例示的実施形態は、さらに、少なくとも１つの異なるインタフェース要素の表示をさせるステップと、異なる偏位平面手首入力を示す情報の受信するステップであって、インタフェース要素は、少なくとも部分的には、異なるインタフェース要素、異なる偏位平面手首入力に基づく、ステップと、少なくとも部分的には、異なる偏位平面手首入力に基づいて、異なるインタフェース要素の表示の終了をさせるステップであって、インタフェース要素の表示をさせることは、少なくとも部分的には、異なる偏位平面手首入力に基づく、ステップと、を実行する。
【００３３】
少なくとも１つの例示的実施形態において、インタフェース要素は、異なるインタフェース要素に結びついたメニュー項目に関係する。
【００３４】
少なくとも１つの例示的実施形態において、異なる偏位平面手首入力は、手首屈曲を示す。
【００３５】
１つ以上の例示的実施形態は、さらに、イベントが起こったと判断するステップであって、異なるインタフェース要素が、イベントの発生の通知に関する、ステップを実行する。
【００３６】
少なくとも１つの例示的実施形態において、イベントが、少なくとも、コールの受信、メッセージの受信、カレンダー・イベント、または、アラーム・イベントのうちの１つに関係する。
【００３７】
１つ以上の例示的実施形態は、さらに、インタフェース要素の下の別のインタフェース要素の表示をさせるステップであって、偏位平面手首入力方向は、尺骨の方向に関するものであり、インタラクション方向は、上向き方向に関するものであり、インタラクション操作は、インタフェース要素の選択に関するものである、ステップを実行する。
【００３８】
少なくとも１つの例示的実施形態において、インタラクション動作の決定は、インタラクション要素が、インタフェース方向に対応するとの判断を含む。
【００３９】
少なくとも１つの例示的実施形態において、インタラクション要素が、インタフェース方向に対応すると判断することは、インタラクション方向により示される位置は、インタフェース要素に関係すると判断することと関連づける。
【００４０】
少なくとも１つの例示的実施形態において、インタラクション方向は、少なくとも部分的には、インタラクション方向において、ディスプレイのセンターからオフセットのアプリケーションに基づいて、位置を示す。
【図面の簡単な説明】
【００４１】
本願発明の実施形態のより完全な理解のために、次に、添付の図面に関する以下の記載を参照する。ここで、
【図１】図１は、例示的実施形態にしたがう、装置を示すブロック図である。
【図２】図２は、ユーザに関して位置、方向、および／または、その他の解剖学的用語を示している図である。
【図３Ａ】図３Ａ−図３Ｅは、少なくとも１つの例示的実施形態にしたがう、手首に関係する運動を図示するダイアグラムである。
【図３Ｂ】図３Ａ−図３Ｅは、少なくとも１つの例示的実施形態にしたがう、手首に関係する運動を図示するダイアグラムである。
【図３Ｃ】図３Ａ−図３Ｅは、少なくとも１つの例示的実施形態にしたがう、手首に関係する運動を図示するダイアグラムである。図３Ａ−図３Ｅは、少なくとも１つの例示的実施形態にしたがう、手首に関係する運動を図示するダイアグラムである。
【図３Ｄ】図３Ａ−図３Ｅは、少なくとも１つの例示的実施形態にしたがう、手首に関係する運動を図示するダイアグラムである。
【図３Ｅ】図３Ａ−図３Ｅは、少なくとも１つの例示的実施形態にしたがう、手首に関係する運動を図示するダイアグラムである。
【図４Ａ】図４Ａ−図４Ｂは、少なくとも１つの例示的実施形態にしたがう、手首ディスプレイを図示するダイアグラムである。
【図４Ｂ】図４Ａ−図４Ｂは、少なくとも１つの例示的実施形態にしたがう、手首ディスプレイを図示するダイアグラムである。
【図５Ａ】図５Ａ−図５Ｃは、少なくとも１つの例示的実施形態にしたがう、インタフェース要素を図示するダイアグラムである。
【図５Ｂ】図５Ａ−図５Ｃは、少なくとも１つの例示的実施形態にしたがう、インタフェース要素を図示するダイアグラムである。
【図５Ｃ】図５Ａ−図５Ｃは、少なくとも１つの例示的実施形態にしたがう、インタフェース要素を図示するダイアグラムである。
【図６】図６は、少なくとも１つの例示的実施形態にしたがう、偏位平面手首入力と関連する活動を図示しているフローチャートである。
【図７】図７は、少なくとも１つの例示的実施形態にしたがう、偏位平面手首入力と関連する活動を図示するフローチャートである。
【図８】図８は、少なくとも１つの例示的実施形態にしたがう、偏位平面手首入力と関連する活動を図示するフローチャートである。
【図９】図９は、少なくとも１つの例示的実施形態にしたがう、偏位平面手首入力と関連する活動を図示しているフローチャートである。
【図１０】図１０は、少なくとも１つの例示的実施形態にしたがう、偏位平面手首入力と関連する活動を図示しているフローチャートである。
【図１１】図１１は、少なくとも１つの例示的実施形態にしたがう、偏位平面手首入力と関連する活動を図示しているフローチャートである。
【図１２】図１２は、少なくとも１つの例示的実施形態にしたがう、偏位平面手首入力と関連する活動を図示しているフローチャートである。
【発明を実施するための形態】
【００４２】
本願の実施形態およびその可能な優位性は、図１から図１２を参照することによって、よく理解される。
【００４３】
いくつかの実施形態が、以下に、添付の図面を参照して、より詳細に記述される。そこで、いくつかの、しかし、すべてでないが、例示的実施形態が示される。本願発明の種々の実施形態を、多くの異なる形で具体化することができ、そして、ここに述べられる実施形態に制限されると解釈されてはならない。むしろ、これらの例示的実施形態は、この開示が適用可能な法的要求を満たすように、提供される。以下を通して、同様の参照番号は、同様の要素を参照する。ここに使われるように、「データ」、「コンテンツ」、「情報」の用語、および、同様の用語は、本願発明の実施形態にしたがって、送信され、受信され、および／または、格納されることが可能なデータを指すために、互換的に用いることができる。このように、そのような語の用法は、本願発明の実施形態の要旨および範囲を制限するものであると、とられてはならない。
【００４４】
加えて、ここに使われるように、「回路（ｃｉｒｃｕｉｔｒｙ）」という用語は、（ａ）ハードウェアのみの回路インプリメンテーション（例えばアナログおよび／またはデジタル回路だけのインプリメンテーション）（ｂ）回路と、一緒に動作して装置に、ここに記述される１つ以上の機能を実行させる１つ以上のコンピュータで読取り可能メモリに格納されるソフトウェアやファームウェア命令を備えるコンピュータ・プログラム・プロダクトとの組合せおよび、（ｃ）回路、例えば、たとえソフトウェアまたはファームウェアが物理的に存在しないとしても動作のためにソフトウェアまたはファームウェアを要求するマイクロプロセッサー、または、マイクロプロセッサーの部分を指す。この「回路」の定義は、ここにおける、すべての請求項を含む、すべてのこの用語の使用に適用される。さらなる例として、ここに使われるように、用語「回路」は、また、１つ以上のプロセッサやその部分、および、付随するソフトウェアやファームウェアを備えるインプリメンテーションを含む。別の例として、ここで用いられる用語「回路」は、また、たとえば、携帯電話のためのベースバンド集積回路、または、応用プロセッサ集積回路、または、サーバの同様な集積回路、携帯電話ネットワーク装置、他のネットワーク装置、および／または、その他のコンピューティング装置を含む。
【００４５】
ここに規定されるように、（例えば、揮発性あるいは揮発性メモリ・デバイス）物理メディアを指す「固定コンピュータ読取可能メディア」は、電磁気信号を指す「一時的コンピュータ読取可能メディア」と区別することができる。
【００４６】
図１は、少なくとも１つの例示的実施形態にしたがう、電子機器１０などの装置を示すブロック図である。しかしながら、図示され、以下記述される電子機器は、本願発明の実施形態から利益を得ることができる電子装置の単に実例的なものであり、したがって、本願発明の範囲を制限するものと解釈されてはならないことが理解されるべきである。電子機器１０が図示され、そして、以下で、例示の目的のために記載されるけれども、他のタイプの電子装置は、すぐに、本願発明の実施形態を使用することができる。電子装置１０は、ポータブル・デジタル・アシスタント（ＰＤＡ）、ページャ、携帯コンピュータ、デスクトップ・コンピュータ、テレビジョン、ゲーム装置、ラップトップ・コンピュータ、メディア・プレーヤ、カメラ、ビデオレコーダー、携帯電話、グローバル・ポジショニング・システム（ＧＰＳ）装置、および／また、任意の他のタイプの電子システムであることができる、さらに、少なくとも１つの例示的実施形態の装置は、全体の電子装置である必要はない、しかし、他の例示的実施形態において、その電子装置のコンポーネントまたはコンポーネントのグループであることができる。
【００４７】
更にまた、装置は、モビリティを提供するそれらの意図に関係なく、本願発明の実施形態をすぐに使用することができる。この点については、モバイル・アプリケーションと連携して、本願発明の実施形態が記述されることができるとしても、本願発明の実施形態を、モバイル通信業界の内部、外部の両方において、種々の他のアプリケーションと結合して利用することができることを理解すべきである。
【００４８】
少なくとも１つの例示的実施形態において、電子機器１０は、プロセッサ１１およびメモリ１２を備える。プロセッサ１１は、いかなるタイプのプロセッサ、コントローラ、埋め込みコントローラ、プロセッサ・コア、および／または、その他でもあり得る。少なくとも１つの例示的実施形態において、プロセッサ１１は、装置に１つ以上のアクションをさせるコンピュータ・プログラム・コードを利用する。メモリ１２は、一時的なデータ記憶のためのキャッシュ領域を含む揮発性ランダム・アクセス・メモリー（ＲＡＭ）などの揮発性メモリ、および／または、たとえば、不揮発性であるメモリその他のメモリを備えることができる。このメモリは、埋め込み、および／または、取り外し可能でありえる。これらの不揮発性メモリは、ＥＥＰＲＯＭ、フラッシュ・メモリやその他を含むことができる。メモリ１２は、多くの情報の部分およびデータのいずれでも格納することができる。情報およびデータは、電子機器１０で、例えば、ここに記述される機能などの、電子装置１０の１つ以上の機能をインプリメントするのに使用することができる。少なくとも１つの例示的実施形態において、メモリ１２は、メモリおよびコンピュータ・プログラム・コードは、プロセッサと共に動作して、装置に、ここに記述される１つ以上の行為を実行させるように構成されるように、コンピュータ・プログラム・コードを含む。
【００４９】
電子装置１０は、通信デバイス１５を更に含むことができる。少なくとも１つの例示的実施形態において、トランスミッタやレシーバによる動作可能な通信において、通信装置１５は、アンテナ、有線コネクタ、など、を備える。少なくとも１つの例示的実施形態において、プロセッサ１１は、トランスミッタに信号を提供し、および／またはレシーバから信号を受信する。この信号は、通信インタフェースしたがう信号伝達情報、ユーザ・スピーチ、受信データ、ユーザ生成データ、および／または、その他を含むことができる。通信装置１５は、１つ以上のエア・インタフェース標準、通信プロトコル、変調形式、および、アクセス・タイプで、動作することができる。実例として、電子通信デバイス１５は、第二世代（２Ｇ）無線通信プロトコルＩＳ−１３６（時分割多元接続（ＴＤＭＡ：Ｔｉｍｅ  Ｄｉｖｉｓｉｏｎ  Ｍｕｌｔｉｐｌｅ  Ａｃｃｅｓｓ））、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、および、ＩＳ−９５  ＣＤＭＡ（Ｃｏｄｅ  Ｄｉｖｉｓｉｏｎ  Ｍｕｌｔｉｐｌｅ  Ａｃｃｅｓｓ）にしたがって、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ２０００、広帯域ＣＤＭＡ（ＷＣＤＭＡ）および、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）など、第三世代（３Ｇ）無線通信プロトコルで、および／または、第４世代（４Ｇ）無線通信プロトコル８０２．１１などの無線ネットワークプロトコルは、例えば、ブルートゥース（登録商標）、および／または、その他短距離無線プロトコルにしたがって、動作することができる。通信装置１５は、イーサネット（登録商標）、デジタル加入者線（ＤＳＬ）、非同期伝送モード（ＡＴＭ）、および／または、その他有線プロトコルに従って、動作することができる。
【００５０】
プロセッサ１１は、たとえば、ここに記述される機能の１つ以上を含む本願発明の実施形態をインプリメントするためと並んで、オーディオ、ビデオ、通信、ナビゲーション、論理機能、および／または、その他をインプリメントするための回路などの手段を備えることができる。例えば、プロセッサ１１は、例えば、ここに記述される機能の１つ以上を含む種々の機能を実行するために、デジタル信号プロセッサ・デバイス、マイクロプロセッサ・デバイス、種々のアナログ・デジタル変換器、デジタル・アナログ変換器、処理回路、および、他のサポート回路などの手段を備えることができる。この装置は、コントロール、および、それぞれの能力によってこれらのデバイスの間で電子装置１０の信号プロセシング機能を実行することができる。このようにプロセッサ１１は、変調と伝送に先立って、メッセージおよびデータを符号化し、インタリーブする機能を含むことができる。プロセッサ１は、さらに、内部の音声符合化装置を備えることができ、かつ、内蔵データ・モデムを備えることができる。なお、プロセッサ１１は、１つ以上ソフトウェア・プログラムを操作する機能を備えることができる。これは、メモリに格納することができ、とりわけ、プロセッサ１１に、たとえば、ここに記述される機能の１つ以上を含む少なくとも１つの実施形態をインプリメントさせることができる。例えば、プロセッサ１１は、従来のインターネット・ブラウザなどの接続プログラムを動作させることができる。接続プログラムは、電子機器１０が、例えば、ＴＣＰ（Ｔｒａｎｓｍｉｓｓｉｏｎ  Ｃｏｎｔｒｏｌ  Ｐｒｏｔｏｃｏｌ）、ＩＰ（Ｉｎｔｅｒｎｅｔ  Ｐｒｏｔｏｃｏｌ）、ＵＤＰ（Ｕｓｅｒ  Ｄａｔａｇｒａｍ  Ｐｒｏｔｏｃｏｌ）、ＩＭＡＰ（Ｉｎｔｅｒｎｅｔ  Ｍｅｓｓａｇｅ  Ａｃｃｅｓｓ  Ｐｒｏｔｏｃｏｌ）、ＰＯＰ（Ｐｏｓｔ  Ｏｆｆｉｃｅ  Ｐｒｏｔｏｃｏｌ）ＳＭＴＰ（Ｓｉｍｐｌｅ  Ｍａｉｌ  Ｔｒａｎｓｆｅｒ  Ｐｒｏｔｏｃｏｌ）ＷＡＰ（Ｗｉｒｅｌｅｓｓ  Ａｐｐｌｉｃａｔｉｏｎ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）、および／または、その他にしたがって、位置ベースのコンテンツや他のウェブページ・コンテンツなどのインターネット・コンテンツを送信、および、受信することを可能にする。
【００５１】
電子装置１０は、出力を提供し、入力を受信するユーザ・インタフェースを備えることができる。電子装置１０は、出力デバイス１４を備えることができる。出力デバイス１４は、リンガー、イヤホン、スピーカー、および／または、その他音声出力デバイスを備えることができる。出力デバイス１４は、振動トランスデューサ、電子的変形可能表面、電子的変形可能構造、および／または、その他触覚型出力デバイスを備えることができる。出力デバイス１４は、ディスプレイ、光、および／または、その他視覚出力デバイスを備えることができる。少なくとも１つの例示的実施形態において、装置は、情報のディスプレイをさせ、ディスプレイをさせることは、その装置が備えるディスプレイの上で情報を表示すること、ディスプレイを備える別の装置に情報を送ること、および／または、その他を含むことができる。この電子機器は、入力装置１３を備えることができる。入力デバイス１３は、光センサ、近接センサ、マイク、タッチ・センサ、力センサ、ボタン、キーパッド、動きセンサ、磁場センサ、カメラ、および／または、その他を備えることができる。タッチ・センサおよびディスプレイは、タッチ・ディスプレイとして特徴づけられることができる。タッチ・ディスプレイを備える実施形態において、タッチ・ディスプレイは、コンタクトの単一ポイント、コンタクトの複数ポイント、および／または、その他から、入力を受信するように構成することができる。そのような実施形態において、タッチ・ディスプレイやプロセッサは、少なくとも部分的には、位置、動き、速度、接触領域、および／または、その他に基づいて入力を決定することができる。少なくとも１つの例示的実施形態において、装置は、入力の標示を受信する。この装置は、センサ、ドライバ、別の装置、および／または、その他からこの標示を受信することができる。入力を示す情報は、入力を示す、入力の態様を示す、入力の発生を示す、および／または、その他情報を伝達する情報に関係することができる。
【００５２】
電子装置１０は、抵抗性、容量、赤外線、歪みゲージ、表面波、光学画像、分散的信号技術、音響パルス認識、または、他の技術の任意のものによりタッチ認識が可能にするように構成されたものを含む任意の多様なタッチ・ディスプレイを含むことができる。および、それから、タッチに結びついた位置と他のパラメータを示す信号を提供することができる。加えて、タッチ・ディスプレイは、選択物体（例えば、指、スタイラス、ペン、鉛筆、または他のポインティング・デバイス）と、タッチ・ディスプレイと間の物理的コンタクトとして、規定することができるタッチ・イベントの形で、入力の標示を受信するように構成することができる。代替的に、たとえ物理的コンタクトがタッチ・ディスプレイでなされなくても、タッチ・イベントは、タッチ・ディスプレイの近傍に選択物体を持ってくること、表示された対象物の上でホバリングすること、または、その物体が、所定の距離の範囲内に接近することと規定することができる。このため、タッチ入力は、実際の物理的接点を含むタッチ・イベント、および、物理的接点を含まない、しかし、さもなければ、タッチ・ディスプレイへの選択物体の近接性の結果などでタッチ・ディスプレイによって検出されるタッチ・イベントを含むタッチ・ディスプレイによって検出されるいかなる入力をも含むことができる。タッチ・ディスプレイは、タッチ入力に関してタッチ・スクリーンに印加される力に結びついた情報を受信することができる。例えば、タッチ・スクリーンは、重いプレス・タッチ入力と軽いプレス・タッチ入力との間で差異を認めることができる。少なくとも１つの例示的実施形態において、ディスプレイは、２次元情報、３次元情報やその他を表示することができる。
【００５３】
キーパッドを含むこと実施形態において、キーパッドは、数値（たとえば、０−９）キー、記号キー（たとえば、＃、＊）、文字キー、および／または、その他の電子装置１０を動作させるためのものを含むことができる。例えば、キーパッドは、従来のＱＷＥＲＴＹキーパッドの配置を備えることができる。キーパッドは、また、関連した機能の種々のソフト・キーを備えることができる。これに加えて、または、代替的に、電子装置１０は、ジョイスティックまたは他のユーザ入力インタフェースなどのインタフェース・デバイスを備えることができる。
【００５４】
入力デバイス１３は、メディア・キャプチャ要素を備えることができる。メディア・キャプチャ要素は、ストレージ、表示または、送信のために、画像、ビデオ、および／またはオーディオをキャプチャするいかなる手段でもあり得る。例えば、メディア・キャプチャ要素が、カメラ・モジュールである、少なくとも１つの例示的実施形態において、カメラ・モジュールは、キャプチャされた画像からデジタル画像ファイルを形成することができるデジタル・カメラを備えることができる。このため、カメラ・モジュールは、レンズまたは他の光学部品などのハードウェア、および／または、キャプチャされた画像からデジタル画像ファイルを作成するために必要なソフトウェアを備えることができる。代替的に、カメラ・モジュールは、画像を見るためのハードウェアだけを含むことができ、一方、電子装置１０のメモリ・デバイスは、キャプチャされた画像からデジタル画像ファイルを作成するためのソフトウェアの形で、プロセッサ１１による実行のための命令を格納する。少なくとも１つの例示的実施形態において、カメラ・モジュールは、画像データ処理においてプロセッサ１１を支援するコプロセッサおよび、画像データを圧縮し、および／または、解凍するためのエンコーダやデコーダなどの処理要素を更に含むことができる。エンコーダやデコーダは、たとえば、ＪＰＥＧ（Ｊｏｉｎｔ  Ｐｈｏｔｏｇｒａｐｈｉｃ  Ｅｘｐｅｒｔｓ  Ｇｒｏｕｐ）標準フォーマットなど標準フォーマットにしたがって、符号化および／または復号化することができる。
【００５５】
図２は、ユーザ２００について位置、方向、および／または、その他の解剖学用語を示している図である。ユーザ２００は、解剖学的姿勢で表されていることを見ることができる。解剖学的姿勢は、体が、脚をわずかに開いて、足を前にし、そして、手のひらを前向きにして立っている人体のポーズに関係する。このユーザ２００の体は、前額軸、縦軸、および、矢状軸の互いに直交する３つの基本軸に関係して記述することができる。前額軸２０１は、中央点またはユーザ２００の軸を通って、右から左へ伸びる仮想的な線に関係する。縦軸２０２は、中央点またはユーザ２００の軸を通って、上位（より上）から下位（より下）に伸びる線に関するものである。矢状軸２０３は、中央点またはユーザ２００の軸を通って、前方から後方に伸びる線に関するものである。前額面２０４は、前額軸２０１および縦軸２０２に沿って、ユーザ２００を前半分と後ろ半分とに分割する平面に関するものである。ユーザ２００が解剖学的姿勢にあるとき、前額面は、ユーザ２００の手首と手を分割することを見ることができる。横断面２０５は、前額軸２０１と矢状軸２０３とを通して、ユーザ２００を、上位部分と下位部分とに分割する平面に関係する。矢状面２０６は、矢状軸２０３と縦軸２０２とを通して、ユーザ２００を、左部分と右部分とに分割する平面に関係する。
【００５６】
図３Ａ−図３Ｅは、少なくとも１つの例示的実施形態にしたがう、手首に関係する運動を図示するダイアグラムである。図３Ａ−図３Ｅの例は、単に例だけであり、本願請求項の範囲の制限するものではない。例えば、手首の側面性は、異なることができ、種々の運動の方向は、異なることができ、種々の運動の組合せは、異なることができる、および／または、その他である。
【００５７】
手首に関する身体運動は、基本運動の見地から特徴づけることができる。例えば、複雑な手首運動は、複雑な運動が、異なった基本運動を組み込む方法によって特徴づけることができる。図３Ａ−図３Ｅは、そのような基本運動の例を図示する。図３Ａ−図３Ｅの運動は、中立位置からの運動に関係して記述されている。少なくとも１つの例示的実施形態において、中立位置は、手の指（親指を含む）一緒にした解剖学的姿勢に整合して手首と整列する手の姿勢に関係する。少なくとも１つの例示的実施形態において、中立姿勢は、親指以外の指の姿勢を考慮せず、親指を手と一緒にした解剖学的姿勢に整合して手首と整列する手の姿勢に関係する。少なくとも１つの例示的実施形態において、中立姿勢は、指の姿勢を考慮せず、解剖学的姿勢に整合して手首と整列する手の姿勢に関係する。任意の所定の環境に対して利用される特定の中立姿勢は、異なることができる。
【００５８】
図３Ａは、少なくとも１つの例示的実施形態にしたがう、手首の回外運動と回内運動を示している図である。手首の回外運動および回内運動は、手首の回転を起こす前腕の横の運動に関連する。回外運動３０１は、前腕の横の回転によって実行される手のひらを前方に（前に）、または、上方に回すことと関連する前腕運動に関係する。回内運動３０２は、前腕の横の回転によって実行される手のひらを後方に（後ろに）、または、下方に回すことと関連する前腕運動に関係する。
【００５９】
図３Ｂは、少なくとも１つの例示的実施形態にしたがう、手首偏位（ｗｒｉｓｔ  ｄｅｖｉａｔｉｏｎ）を示している図である。手首の偏位は、外転と内転の見地から記述することができる。外転は、構造を体の中央線から離す動きに関係し、内転は、構造を体の中央線の方に引く動きに関係する。例えば、体が解剖学的姿勢にあるとき、手首の外転は、ユーザの体から離すように手を動かす動きに関係する。そのような動きは、橈側偏位３１２によって図示されるように、橈側偏位と呼ばれる。例えば、橈側偏位は、手を前腕の橈骨により近づけることができる。別の例において、体が解剖学的姿勢にあるとき、手首の内転は、ユーザの体の方に手を動かす動きに関係する。そのような動きは、尺側偏位３１１によって図示されるように、尺側偏位と呼ばれる。例えば、尺側偏位は、前腕の尺骨に手を近づけることができる。
【００６０】
手首運動を、偏位平面の見地から特徴づけることが望ましいことがあり得る。少なくとも１つの例示的実施形態において、偏位平面は、手首の橈側偏位および手首の尺側偏位に整列する平面に関係する。少なくとも１つの例示的実施形態において、手首が解剖学的姿勢にあるとき、偏位平面は、前額面に対応する。例えば、前腕の回内運動および回外運動は、手首に対応して偏位平面の回転を引き起こすことができる。このように、偏位平面は、手首の橈側偏位、および、手首の回外運動に関係なく、また、手首の回内運動に関係なく、手首の尺側偏位に整列する、例えば、尺側偏位は、手首の回外運動または回内運動に関係なく偏位平面に沿ってまだ起こる。
【００６１】
少なくとも１つの例示的実施形態において、偏位平面に対する運動に関して、手首、手、指、および／または、その他の動きを特徴づけることが望ましいことがあり得る。このように、偏位平面に関する運動は、偏位平面方向の見地から特徴づけることができる。偏位平面方向は、尺骨方向または橈側方向に関係することができる。少なくとも１つの例示的実施形態において、橈側方向は、中立位置から橈側偏位の方への手首運動に対応する偏位平面の上の方向に関するものである。例えば、橈側方向３１７は、橈側偏位３１２に対応する方向に偏位平面３１５に沿って伸びることを見ることができる。少なくとも１つの例示的実施形態において、尺骨方向は、中立位置から尺側偏位の方への手首運動に対応する偏位平面の上の方向に関するものである。例えば、尺骨方向３１６は、尺側偏位３１１に対応する方向に偏位平面３１５に沿って伸びることを見ることができる。
【００６２】
図３Ｃは、少なくとも１つの例示的実施形態にしたがう、手首屈曲および伸展を示している図である。手首伸展は、前腕の上部に向かって手の上部を持ってくることに結びついた手首運動に関係すること、および、手首屈曲は、前腕の下の方へ手のひらを持ってくることに関係することを見ることができる。図３Ｃは、偏位平面３２５に関して、手首伸展３２１と手首屈曲３２２を図示する。手首伸展３２１は、偏位平面３２５より上に伸びる方向における動きに関係し、手首屈曲３２２は、偏位平面３２５の下の方向における動きに関係することを見ることができる。少なくとも１つの例示的実施形態において、手首屈曲または手首伸展を含む身体運動は、偏位平面に対して幾何学的に垂直である偏位平面方向を有する動きに関係する。例えば、手首屈曲は、偏位平面の下の幾何学的に垂直である偏位平面方向に関係することができる。別の例において、手首伸展は、偏位平面の上の幾何学的に垂直である偏位平面方向に関係することができる。
【００６３】
図３Ｄは、少なくとも１つの例示的実施形態にしたがう、指の外転と内転を示している図である。指の内転と外転は、中指に関係する指の動きに関係する。例えば、外転は、中指から離れる指の動きに関係し、内転は、中指に向かう指の動きに関係する。例えば、外転３３１は、互いから離れるように指を広げることに関係し、内転３３２は、互いの方に指を近づけることに関係することを見ることができる。指内転３３１は、偏位平面方向における運動に関係することができることを見ることができる。例えば、親指と人さし指の外転は、橈側方向３３７の運動に関係することができる。同様に、薬指と小指の内転は、橈側方向３３７における運動に関係することができる。同様に、親指と人さし指の内転は、尺骨方向３３６の運動に関係することができる。同様に、薬指と小指の外転は、尺骨方向３３６における運動に関係することができる。
【００６４】
図３Ｅは、少なくとも１つの例示的実施形態にしたがう、指屈曲および伸展を示している図である。指伸展は、指の上部を、手の上部の方に持ってくることに結びついた指運動に関係し、指屈曲は、指の下部を手のひらの方に持ってくることと関係していることを見ることができる。図３Ｅは、偏位平面３４５に関係して、指伸展３４２と指屈曲３４３を図示する。指ハイパー伸展３４１は、偏位平面３４５より上に伸びた方向における動きに関係すること、および、指屈曲３４３は、偏位平面３２５の下の方向における動きに関係することを見ることができる。少なくとも１つの例示的実施形態において、指ハイパー伸展は、指を偏位平面の上になるようにする指伸展に関係する。少なくとも１つの例示的実施形態において、指屈曲または指ハイパー伸展を含む身体運動は、偏位平面に対して幾何学的に垂直である偏位平面方向を有する動きに関係する。例えば、指屈曲は、偏位平面の下で、幾何学的に垂直な偏位平面方向に関係することができる。別の例において、指ハイパー伸展は、偏位平面の上において、幾何学的に垂直な偏位平面方向に関係することができる。
【００６５】
いくつかの環境において、手首や手の運動を評価し、装置のための入力として、そのような運動を取り扱うことが望ましいことがあり得る。例えば、ユーザは、片手を使用して、入力を提供することを望むことがあり得、装置に触れることなく入力を提供することを望むことがあり得る、および／または、その他である。例えば、装置が使用中であるとき、その装置に、ユーザの手が届くのが難しいことがあり得る。そのような例において、ユーザが、手首や手の運動によって、装置のために入力を実行することを望むことがあり得る。
【００６６】
そのような環境においては、偏位平面方向における身体運動をモニターすること、および、そのような運動を偏位平面手首入力として取り扱うことが望ましいことがあり得る。少なくとも１つの例示的実施形態において、偏位平面手首入力は、偏位平面方向における身体運動を示す入力に関係する。この装置は、偏位平面方向を評価することができ、そして、少なくとも部分的には、偏位平面手首入力によって示される偏位平面方向に基づいて、種々の動作を実行することができる。
【００６７】
少なくとも１つの例示的実施形態において、偏位平面手首入力は、偏位平面に対する中立身体姿勢から偏位平面に対する非中立身体姿勢への変化によって特徴づけられる身体運動に関する。非中立身体姿勢は、手首伸展姿勢、手首屈曲姿勢、尺側偏位姿勢、橈側偏位姿勢、指外転姿勢、および／または、その他に関連する。少なくとも１つの例示的実施形態において、偏位平面手首入力によって示された偏位平面方向は、指屈曲や伸展から独立している。例えば、偏位平面手首入力は、指屈曲や伸展と関連する偏位方向情報を無視することができる。
【００６８】
図４Ａ−図４Ｂは、少なくとも１つの例示的実施形態にしたがう、手首ディスプレイを図示するダイアグラムである。図４Ａ−図４Ｂの例は、単に例だけであり、本願請求項の範囲の制限するものではない。例えば、ディスプレイの構成は、異なることができ、手首へのディスプレイのカプリングは、異なることができ、装置のデザインは、異なることができる、および／または、その他である。
【００６９】
いくつかの環境において、装置フォーム・ファクターは、手による装置へのタッチを含む入力のパフォーマンスの困難性と結びついていることができる。例えば、手首搭載装置は、偏位平面手首入力など、入力を実行するために装置の入力デバイスにタッチすることが必ずしも必要でない入力の方法を提供することから利益を得ることができる。
【００７０】
図４Ａは、少なくとも１つの例示的実施形態にしたがう、手首ディスプレイを示している図である。ディスプレイ４０３は、ユーザ４０２の手首にすぐ近くにディスプレイを装着できるように、装置４０１に収納されていることを見ることができる。このディスプレイ４０３は、ユーザ４０２の手首の上で正しい位置に置かれるように構成されることを見ることができる。例えば、ディスプレイは、装置４０１の手首をユーザ４０２が回内し、およびは、手首を持ってくる整列する矢状軸で、矢状軸と整列するように手首を持ってくるとき、ディスプレイ４０３は、ユーザによって見られることができるように方向付けすることができる。そのような姿勢において、ディスプレイ４０３は、ディスプレイ４０３の上部が、ユーザ４０２胴体からディスプレイ４０３の底部より遠くにあるように方向付けされることができる。このように、そのディスプレイは、腕時計の方向と同様に方向付けすることができる。例えば、ディスプレイの上部は、ディスプレイを装着している手首の尺骨のすぐ近くでありえ、ディスプレイの底部は、ディスプレイを装着している手首の橈骨のすぐ近くでありえる。
【００７１】
このように、そのディスプレイは、ディスプレイが、偏位平面と実質的に平行であるように、装着できるように構成することができることを見ることができる。例えば、装置４０１などのディスプレイのハウジングは、ディスプレイを称着している手首のディスプレイが偏位平面と実質的に平行であるように構成することができる。ディスプレイ４０３を装着しているユーザ４０２の手首の偏位平面は、実質的にディスプレイ４０３と平行であることを見ることができる。少なくとも１つの例示的実施形態において、実質的は平行は、ディスプレイが、ユーザの手首上の装置のシフトに起因する偏位の量の範囲内で、平行であることに関連する。例えば、偏位平面と平行であることからのずれを許容するようにスリップすることを回避するのに十分きつくすいることを避けることが望ましいことがあり得る。例えば、そのようなすべりを避けることができる手首のきつさのために手首に損傷を起こすことを避けることが望ましいことがあり得る。
【００７２】
多くの環境において、偏位平面手首入力が、ディスプレイ上で方向を示す入力を提供するための直観的な方法であることが望ましいことがあり得る。少なくとも１つの例示的実施形態において、入力によって通信されるディスプレイの上の方向は、インタラクション方向に関係する。例えば、上向き方向のインタラクションを通信する入力は、上向きインタラクション方向に関係する。ユーザがすぐに偏位平面方向をインタラクション方向と結びつけることが望ましいことがあり得る。このように、装置が、ディスプレイの整列と、ディスプレイが装着された手首の偏位平面の整列との間の類似性に影響を及ぼすことが望ましいことがあり得る。例えば、ユーザ４０２の尺骨のすぐ近くのディスプレイ４０３の上部は、ディスプレイ４０３の中心から尺骨方向であることを見ることができる。同様に、ユーザ４０２の橈骨にすぐ近くのディスプレイ４０３の底部は、ディスプレイ４０３の中心から橈側方向であることを見ることができる。少なくとも１つの例示的実施形態において、インタラクション方向は、偏位平面方向に対応する。このように、上向きインタラクション方向は、尺側偏位平面方向に対応することができる。例えば、ユーザは、手首の尺側偏位、小指外転、および／または、その他を、上向きインタラクション方向に対応する偏位平面手首入力を実行するために、実行することができる。同様に、下向きインタラクション方向は、橈側偏位平面方向に対応することができる。例えば、ユーザは、手首の橈側偏位、親指外転、および／または、その他を、下向きインタラクション方向に対応する偏位平面手首入力を実行するために、実行することができる。このように、垂直インタラクション方向と結びついた手首運動は、偏位平面の上の橈側方向および尺骨方向と、整列することができる。
【００７３】
いくつかの環境において、ユーザが、偏位平面に沿って、橈側方向および尺骨方向に対して垂直である方向の運動を実行することは、困難であり得る。このように、偏位平面の上および偏位平面の下の運動を水平インタラクション方向と結びつけることが望ましいことがあり得る。例えば、偏位平面の下の運動を、手の方に向かうインタラクションの動きに対応するようにすること、および、偏位平面の上の運動を、手から離れるインタラクションの動きに対応するようにすることが望ましいことがあり得る。少なくとも１つの例示的実施形態において、右向きインタラクション方向は、偏位平面より下で幾何学的垂直であることに対応する。例えば、手首屈曲は、右向きインタラクション方向に関係することができる。少なくとも１つの例示的実施形態において、左向きインタラクション方向は、偏位平面より上で幾何学的垂直であることに対応する。例えば、手首拡張は、左向きインタラクション方向に関係することができる。しかしながら、右向き、左向きは、ディスプレイ装着された手首がどちらであるかに更に依存することができる。例えば、ディスプレイが左の手首に装着されているならば、手の方に向かう動きは、右向きインタラクション方向に関連する。しかしながら、ディスプレイが右の手首に装着されているならば、手の方に向かう動きは、左向きインタラクション方向に関連する。
【００７４】
少なくとも１つの例示的実施形態において、装置は、少なくとも部分的には、偏位平面方向に基づいて、インタラクション方向を決定する。例えば、その装置は、少なくとも部分的には、偏位平面とディスプレイ間の相関関係に基づいて、インタラクション方向を決定することができる。その相関関係は、少なくとも部分的には、相関関係を推定するプログラム命令の所定のセット、および／または、その他の上で、所定の相関テーブルにおいて、偏位平面方向に関して実行される計算に基づくことができる。
【００７５】
少なくとも１つの例示的実施形態において、その装置は、偏位平面手首入力を検出するために、１つ以上のセンサを備える。例えば、その装置は、腱運動、靭帯運動、神経信号、および／または、その他の手首の生体信号をモニターする１つ以上の生物測定センサを含むことができる。別の例において、その装置は、手の１つ以上の部分に取り付けられたオブジェクトを追跡することができる。例えば、その装置は、手の１つ以上の部分に装着されている１つ以上のデバイスのそのトラック磁場磁界センサを備えることができる。別の例において、その装置は、１つ以上の視覚センサ、近接性センサ、動きセンサ、熱センサ、光センサ、および／または、その装置に関係して手の動きを検出するように構成されるその他のものを備えることができる。
【００７６】
図４Ｂは、少なくとも１つの例示的実施形態にしたがう、手首ディスプレイを示している図である。図４Ｂの例は、センサ４２２、４２３、４２４および４２５を備える装置４２１を図示する。センサ４２２、４２３、４２４、および４２５は、動きセンサ、近接性センサ、および／または、橈側方向、尺骨方向、偏位平面から上方への方向、偏位平面から下方への方向、および／または、その他における運動を検出するために配置されるその他のものに関係することができる。例えば、センサ４２３の位置は、橈側方向における運動が、センサ４２３に向かって手の増加した近接性に関係するようであることができる。同様に、センサ４２２の位置は、尺骨方向における運動が、センサ４２２に向かって手の増加した近接性に関係するようであることができる。センサ４２４の位置は、偏位平面より下における方向の運動は、センサ４２４に向かって手の増加した近傍性に関係するようであることができる。同様に、センサ４２５の位置は、偏位平面より上における方向の運動は、センサ４２５に向かって手の増加した近傍性に関係するようであることができる。
【００７７】
図５Ａ−図５Ｃは、少なくとも１つの例示的実施形態にしたがう、インタフェース要素を図示するダイアグラムである。図５Ａ−図５Ｃの例は、単に例だけであり、本願請求項の範囲の制限するものではない。例えば、インタフェース要素の数は異なることができ、インタフェース要素の構成は異なることができ、および／または、その他である。
【００７８】
いくつかの環境において、ユーザが、装置とどのようにインタラクトするのか、インタラクションが装置にどのように影響を及ぼすのか、および／または、その他を理解することを可能にするインタフェース要素を提供することが望ましいことがあり得る。少なくとも１つの例示的実施形態において、インタフェース要素は、装置が実行することができる動作を示す情報のビジュアル表現に関するものである。インタフェース要素は、そのインタフェース要素に対応する選択入力が、動作を実行させるように、選択可能な項目に関係することができる。その動作は、プログラムの呼出し、プログラムの機能の呼出し、および／または、その他に関係することができる。そのインタフェース要素は、動作を示す情報を含むことができる。例えば、電話に答えるための動作と関連したインタフェース要素は、電話アイコン、アンサー・アイコン、および／または、その他の電話に答えることを示す視覚情報を含むことができる。
【００７９】
少なくとも１つの例示的実施形態において、装置は、少なくとも部分的には、インタフェース要素およびインタラクション方向に基づいて、インタラクション動作を決定する。例えば、その装置は、インタラクション要素が、インタフェース方向に対応すると判断することができる。少なくとも１つの例示的実施形態において、インタフェース要素とインタラクション方向との間の対応は、インタラクション方向により示される位置は、インタフェース要素に関係すると判断することと関連する。例えば、インタラクション方向は、少なくとも部分的には、インタラクション方向において、ディスプレイのセンターからオフセットのアプリケーションに基づいて、位置を示めすことができる。例えば、インタラクション方向は、上向きインタラクション方向に関係することができる。そのような例において、インタラクション方向は、上向き方向における、ディスプレイの中心からのオフセットに対応するディスプレイの位置を示すことができる。
【００８０】
インタラクション動作の決定をすると、その装置は、そのインタラクション動作の実行をさせることができる。実行をさせることは、装置により、他の装置にインタラクション動作を実行させるために、情報を別の装置に送信する、および／または、その他のインタラクション動作の実行と関連することができる。例えば、その装置は、決定されたインタラクション動作と結びついた動作を実行することができる。少なくとも１つの例示的実施形態において、そのインタラクション動作は、１つ以上のインタフェース要素インタラクションと結びついた動作に関係する。例えば、インタラクション動作は、選択操作に関係することができる。少なくとも１つの例示的実施形態において、選択操作は、インタフェース要素の選択に関係する。例えば、インタフェース要素の選択は、インタフェース要素と結びついた動作を呼び出すことができる。少なくとも１つの例示的実施形態において、インタラクション操作は、メニュー項目インタフェース要素を表示させることに関係する。例えば、インタフェース要素は、他のインタフェース要素のメニューに関係することができる。例えば、図５Ａのインタフェース要素５０２は、図５Ｂのインタフェース要素５１２および５１３を表示させることに結びついているインタラクション動作に関係することができる。このように、インタフェース要素は、選択されたインタフェース要素と結びついたメニュー項目に関係することができる。
【００８１】
少なくとも１つの例示的実施形態において、その装置は、少なくとも部分的には、イベントの生起に基づいて、表示されるインタフェース要素を決定することができる。例えば、そのイベントは、コールの受信、メッセージの受信、カレンダー・イベント、アラーム・イベント、および／または、その他に関係することができる。そのような例において、インタフェース要素は、イベントの発生の通知に関係することができる。たとえば、インタフェース要素は、着信コールが存在すること、メッセージが受信されたこと、カレンダー・イベントと結びついた時刻が来たこと、アラームと結びついた時刻が来たこと、および／または、その他の通知と関連づけることができる。
【００８２】
図５Ａは、少なくとも１つの例示的実施形態にしたがう、インタフェース要素を示している図である。図５Ａの例は、ディスプレイ５０１の上で表示されるインタフェース要素５０２に関係することを見ることができる。図５Ａの例において、ディスプレイ５０１は、単一インタフェース要素、インタフェース要素５０２を表示していることを見ることができる。少なくとも１つの例示的実施形態において、どんなインタラクション方向も、インタフェース要素５０２の選択に関係することができる。例えば、上向きインタラクション方向、下向きインタラクション方向、左向きインタラクション方向、右向きインタラクション方向、および／または、その他が、インタフェース要素５０２に結びついた選択インタラクション動作と結びついていることができる。少なくとも１つの例において、その装置は、どのインタラクション方向が、ディスプレイの上の単一のインタフェース要素と結びついていることができるかを制限することができる。例えば、その装置は、インタラクション方向とインタフェース項目との間の対応の決定を、右向きインタラクション方向に制限することができる。そのような例において、その装置は、インタフェース要素５０２の選択のインタラクション動作を、少なくとも部分的には、手首屈曲偏位平面手首入力に基づいて、決定することができ、そして、インタフェース要素５０２の選択のインタラクション動作の決定を、少なくとも部分的には、異なる偏位平面手首入力に基づいて、回避することができる。
【００８３】
インタフェース要素５０２は、通知インタフェース要素に関係することができる。例えば、インタフェース要素５０２は、ユーザに、コールの受信のようなイベントの発生を通知するのに役立つことができる。このように、通知イベントの選択は、この装置に、コールに答えさせ、その通知インタフェース要素に結びついたメニュー項目を表示させる、および／または、その他ができる。
【００８４】
図５Ｂは、少なくとも１つの例示的実施形態にしたがう、インタフェース要素を示している図である。図５Ｂの例は、ディスプレイ５１１の上で表示されている複数のインタフェース要素に関係する。インタフェース要素５１３は、インタフェース要素５１２より上に表示されることを見ることができる。このように、上向きインタラクション方向は、インタフェース要素５１３に対応することができる。例えば、尺骨方向の偏位平面手首入力は、インタフェース要素５１３に対応するインタラクション方向に関連することができる。同様に、下向きインタラクション方向は、インタフェース要素５１２に対応することができる。例えば、橈側方向における偏位平面手首入力は、インタフェース要素５１３に対応するインタラクション方向に関連することができる。インタフェース要素５１２および５１３は、図５Ａの要素５０２など異なるインタフェース要素のメニュー項目に関係することができる。例えば、インタフェース要素５０２の選択は、この装置に、インタフェース要素５１２と５１３とを表示させることができる。このように、インタフェース要素５１２と５１３とは、インタフェース要素５０２のイベントに関係して装置が実行することができる動作に関係することができる。例えば、インタフェース項目５１３は、着信コールに答えることに関係する動作に関係することができ、そして、インタフェース項目５１２は、アラートを終了、通知の終了、および／または、その他の着信コールを無視することと関連する動作に関係することができる。
【００８５】
図５Ｃは、少なくとも１つの例示的実施形態にしたがう、インタフェース要素を示している図である。図５Ｃの例は、ディスプレイ５２１の上で表示される複数のインタフェース要素に関係する。インタフェース要素５２５が、インタフェース要素５２２の上に、そして、インタフェース要素５２４の右に表示されることを見ることができる。このように、上向き右向きインタラクション方向は、インタフェース要素５２５に対応することができる。例えば、尺骨方向のおよび偏位平面より下の偏位平面手首入力は、インタフェース要素５２５に対応するインタラクション方向に関連することができる。
【００８６】
インタフェース要素５２２が、インタフェース要素５２５より下に、かつ、インタフェース要素５２３の右に表示されることを見ることができる。このように、下向き右向きインタラクション方向は、インタフェース要素５２２に対応することができる。例えば、橈側方向のおよび偏位平面より下の偏位平面手首入力は、インタフェース要素５２２に対応するインタラクション方向に関連することができる。
【００８７】
インタフェース要素５２４が、インタフェース要素５２３の上に、かつ、インタフェース要素５２５の左に表示されることを見ることができる。このように、上向き左向きインタラクション方向は、インタフェース要素５２４に対応することができる。例えば、尺骨方向のおよび偏位平面より上の偏位平面手首入力は、インタフェース要素５２４に対応するインタラクション方向に関連することができる。
【００８８】
インタフェース要素５２３が、インタフェース要素５２４より下に、かつ、インタフェース要素５２２の左に表示されることを見ることができる。このように、下向き左向きへのインタラクション方向は、インタフェース要素５２３に対応することができる。例えば、橈側方向のおよび偏位平面より上の偏位平面手首入力は、インタフェース要素５２３に対応するインタラクション方向に関連することができる。
【００８９】
インタフェース要素５２２、５２３、５２４および５２５は、図５Ａの要素５０２など異なるインタフェース要素のメニュー項目に関係することができる。例えば、インタフェース要素５０２の選択は、この装置に、インタフェース要素５２２、５２３、５２４および５２５を、表示させることができる。このように、インタフェース要素５２２、５２３、５２４および５２５は、インタフェース要素５０２のイベントに関係して装置が実行することができる動作に関係することができる。例えば、インタフェース項目５２４は、着信コールに答えることに関係する動作に関係することができる。別の例において、インタフェース項目５２３は、アラートを終了、通知の終了、および／または、その他の着信コールを無視することと関連する動作に関係することができる。さらに別の例で、インタフェース項目５２５は、着信コールに結びついた警報音を消すことと結びついた動作に関係することができる。さらに別の例においては、インタフェース項目５２２は、着信コールの発信者にメッセージを送信することと結びついた動作に関係することができる。
【００９０】
図６は、少なくとも１つの例示的実施形態にしたがう、偏位平面手首入力と関連する活動を図示するフローチャートである。少なくとも１つの例示的実施形態において、図６の動作と関連する動作のセットが存在する。装置、たとえば、図１の電子装置１０、または、その部分は、その動作のセットを利用することができる。この装置は、たとえば、そのような動作の実行のための、図１のプロセッサ１１を含む手段を備えることができる。例示的実施形態において、装置、たとえば図１の電子装置１０は、プロセッサ、たとえば、図１のプロセッサ１１と協働して、装置に、図６の動作のセットを実行させるように構成されたコンピュータ・コードを備えるメモリ、たとえば、図１のメモリ１２を有することによって変換される。
【００９１】
ブロック６０２において、装置は、ユーザの手首の上で方向付けされるように構成されるディスプレイの上で少なくとも１つのインタフェース要素の表示をさせる。ディスプレイにさせること、インタフェース要素、および、方向は、図４Ａ−図４、図５Ａ−図５Ｂ、および／または、その他に関して記述されたのと同様でありえる。
【００９２】
ブロック６０４において、その装置は、偏位平面方向における身体運動を示す偏位平面手首入力を示す情報を受信する。偏位平面手首入力、身体運動、および、偏位平面方向は、図３Ａ−図３Ｅ、図４Ａ−図４Ｂ、および／または、その他に関して記述されたものと同様でありえる。
【００９３】
ブロック６０６において、装置は、少なくとも部分的に、インタフェース要素、および、偏位平面方向に対応するインタラクション方向に基づいて、インタラクション動作を決定する。その決定、インタラクション動作、および、インタラクション方向は、図４Ａ−図４Ｂ、図５Ａ−図５Ｃ、および／または、その他に関して記述されたものと同様でありえる。
【００９４】
ブロック６０８において、装置は、インタラクション動作の実行をさせる。実行させること、および、実行は、図５Ａ−図５Ｃに関して記述されたものと同様でありえる。
【００９５】
図７は、少なくとも１つの例示的実施形態にしたがう、偏位平面手首入力と関連する活動を図示するフローチャートである。少なくとも１つの例示的実施形態において、図７の動作と関連する動作のセットが存在する。装置、たとえば、図１の電子装置１０、または、その部分は、その動作のセットを利用することができる。この装置は、たとえば、図１のプロセッサ１１など、そのような動作の実行のためを含む手段を備えることができる。例示的実施形態において、装置、たとえば、図１の電子装置１０は、プロセッサ、たとえば、図１のプロセッサ１１と協働して、その装置に、図７の動作のセットを実行させるように構成されたコンピュータ・コードを備えるメモリ、たとえば、図１のメモリ１２を有することによって変換される。
【００９６】
ブロック７０２において、装置は、図６のブロック６０２に関して記載されるのと同様に、ユーザの手首の上で方向付けされるように構成されるディスプレイの上で少なくとも１つのインタフェース要素の表示をさせる。ブロック７０４において、その装置は、図６のブロック６０４に関して記述されたのと同様に、偏位平面方向における身体運動を示す偏位平面手首入力を示す情報を受信する。
【００９７】
ブロック７０６において、装置は、少なくとも部分的には、偏位平面方向に基づいて、インタラクション方向を決定する。この決定およびインタラクション方向は、図４Ａ−図４に関して記述されたのと同様でありえる。
【００９８】
ブロック７０８において、装置は、少なくとも部分的には、インタフェース要素とインタラクション方向に基づいて、インタラクション動作を決定する。この決定およびインタラクション動作は、図４Ａ−図４、図５Ａ−図５Ｃ、および／または、その他に関して記述されたのと同様でありえる。
【００９９】
ブロック７１０において、装置は、図６のブロック６０８に関して記述されたのと同様に、インタラクション動作の実行をさせる。
【０１００】
図８は、少なくとも１つの例示的実施形態にしたがう、偏位平面手首入力と関連する活動を図示するフローチャートである。少なくとも１つの例示的実施形態において、図８の動作と関連する動作のセットが存在する。装置、たとえば、図１の電子装置１０、または、その部分は、その動作のセットを利用することができる。この装置は、たとえば、図１のプロセッサ１１など、そのような動作の実行のためを含む手段を備えることができる。例示的実施形態において、装置は、たとえば、図１の電子装置１０は、プロセッサ、たとえば、図１のプロセッサ１１などと協働して、装置に、図８の動作のセットを実行させるように構成されたコンピュータ・コードを備えるメモリ、たとえば、図１のメモリ１２を有することによって変換される。
【０１０１】
いくつかの環境において、不注意による偏位平面手首入力を回避することが望ましいことがあり得る。例えば、装置がインタフェース要素の表示をさせ、一方、手首が偏位平面手首入力を示す位置にあるような環境があり得る。そのような環境においては、装置が中立偏位平面手首入力を受信するまでインタラクション動作の決定を避けることが望ましいことがあり得る。少なくとも１つの例示的実施形態において、中立偏位平面手首入力は、図２Ａ−図２Ｅに関して記述されたように、中立姿勢である手首に関係する。少なくとも１つの例において、中立偏位平面手首入力は、図２Ａ−図２Ｅに関して記述されたように、中立姿勢に方向付けされた手首に関係する。例えば、中立偏位平面手首入力は、非中立姿勢から中立姿勢への手首運動に関係することができる。
【０１０２】
ブロック８０２において、装置は、図６のブロック６０２に関して記載されるのと同様に、ユーザの手首の上で方向付けされるように構成されるディスプレイの上で少なくとも１つのインタフェース要素の表示をさせる。ブロック８０４において、その装置は、中立偏位平面手首入力を示す情報を受信する。
【０１０３】
ブロック８０６において、その装置は、図６のブロック６０４に関して記述されたのと同様に、偏位平面方向における身体運動を示す偏位平面手首入力を示す情報を受信する。このように、装置は、中立偏位平面手首入力の先の受信のために、偏位平面手首入力の受信と断言できる中立偏位平面入力の受信を待つことができる。
【０１０４】
ブロック８０８において、装置は、図６のブロック６０６に関して記述されたのと同様に、少なくとも部分的に、インタフェース要素、および、偏位平面方向に対応するインタラクション方向に基づいて、インタラクション動作を決定する。ブロック８１０において、装置は、図６のブロック６０８に関して記述されたのと同様に、インタラクション動作の実行をさせる。
【０１０５】
図９は、少なくとも１つの例示的実施形態にしたがう、偏位平面手首入力と関連する活動を図示するフローチャートである。少なくとも１つの例示的実施形態において、図９の動作と関連する動作のセットが存在する。装置、たとえば、図１の電子装置１０、または、その部分は、その動作のセットを利用することができる。この装置は、たとえば、図１のプロセッサ１１など、そのような動作の実行のためを含む手段を備えることができる。例示的実施形態において、装置、たとえば、図１の電子装置１０は、プロセッサ、たとえば、図１のプロセッサ１１などと協働して、装置に、図９の動作のセットを実行させるように構成されたコンピュータ・コードを備えるメモリ、たとえば、図１のメモリ１２を有することによって変換される。
【０１０６】
ブロック９０２において、装置は、図６のブロック６０２に関して記載されるのと同様に、ユーザの手首の上で方向付けされるように構成されるディスプレイの上で少なくとも１つのインタフェース要素の表示をさせる。ブロック９０４において、装置は、そのインタフェース要素の下の別のインタフェース要素の表示をさせる。ディスプレイにさせること、他インタフェース要素、および、方向は、図４Ａ−図４Ｂ、図５Ａ−図５Ｂ、および／または、その他に関して記述されたものと同様でありえる。
【０１０７】
ブロック９０６において、その装置は、尺骨方向における身体運動を示す偏位平面手首入力を示す情報を受信する。受信、偏位平面手首入力、および、尺骨方向は、図３Ａ−図３Ｅに関して記述されたものと同様でありえる。
【０１０８】
ブロック９０８において、装置は、少なくとも部分的に、尺骨方向に基づいて、上向きインタラクション方向を決定する。この決定および上向きインタラクション方向は、図４Ａ−図４Ｂ、図５Ａ−図５Ｃ、および／または、その他に関して記述されたものと同様でありえる。
【０１０９】
ブロック９１０において、装置は、少なくとも部分的に、上向きインタラクション方向に基づいて、インタフェース要素の選択インタラクション動作を決定する。その決定および選択インタラクション動作は、図４Ａ−図４Ｂ、図５Ａ−図５Ｃ、および／または、その他に関して記述されたものと同様でありえる。
【０１１０】
ブロック９１２において、装置は、インタフェース要素の選択をさせる。インタフェース要素の選択は、図５Ａ−図５Ｃに関して記述されたものと同様でありえる。
【０１１１】
たとえ、図９の例が、尺骨方向の身体運動を示す偏位平面手首入力、上向きインタラクション方向、および、インタフェース要素の選択操作と関係するとしても、別の例は、橈側方向の身体運動を示す偏位平面手首入力、下向きインタラクション方向、そして、他のインタフェース要素の選択操作に関連することができる。
【０１１２】
図１０は、少なくとも１つの例示的実施形態にしたがう、偏位平面手首入力と関連する活動を図示するフローチャートである。少なくとも１つの例示的実施形態において、図１０の動作と関連する動作のセットが存在する。装置、たとえば、図１の電子装置１０、または、その部分は、その動作のセットを利用することができる。この装置は、たとえば、図１のプロセッサ１１など、そのような動作の実行のためを含む手段を備えることができる。例示的実施形態において、装置、たとえば、図１の電子装置１０は、プロセッサ、たとえば、図１のプロセッサ１１などと協働して、その装置に、図１０の動作のセットを実行させるように構成されたコンピュータ・コードを備えるメモリ、たとえば、図１のメモリ１２を有することによって変換される。
【０１１３】
ブロック１００２において、装置は、図６のブロック６０２に関して記載されるのと同様に、ユーザの手首の上で方向付けされるように構成されるディスプレイの上で少なくとも１つのインタフェース要素の表示をさせる。ブロック１００４において、その装置は、図６のブロック６０４に関して記述されたのと同様に、偏位平面方向における身体運動を示す偏位平面手首入力を示す情報を受信する。
【０１１４】
ブロック１００６において、その装置は、少なくとも部分的には、偏位平面手首入力に基づいて、インタフェース要素の表示を終了させる。ブロック１００８において、装置は、少なくとも１つの異なるインタフェース要素の表示をさせる。異なるインタフェース要素は、少なくとも部分的には、インタフェース要素に基づくことができる。たとえば、インタフェース要素は、図５のインタフェース要素５０２に関係することができ、および、他のインタフェース要素は、図５Ｂのインタフェース要素５１３に関係することができる。このように、異なるインタフェース要素が、インタフェース要素と結びついたメニュー項目に関係することができる。
【０１１５】
ブロック１０１０において、その装置は、図８のブロック８０４に関して記述されたのと同様に、中立偏位平面手首入力を示す情報を受信する。
【０１１６】
ブロック１０１２において、その装置は、別の偏位平面方向における身体運動を示す異なる偏位平面手首入力を示す情報を受信する。異なる偏位平面手首入力、および、他の偏位平面方向は、図３Ａ−図３Ｅ、図４Ａ−図４Ｂ、および／または、その他に関して記述されたものと同様でありえる。
【０１１７】
ブロック１０１４において、装置は、少なくとも部分的には、異なるインタフェース要素、および、偏位平面方向に対応するインタラクション方向に基づいて、インタラクション動作を決定する。その決定、インタラクション動作、および、インタラクション方向は、図４Ａ−図４Ｂ、図５Ａ−図５Ｃ、および／または、その他に関して記述されたものと同様でありえる。ブロック１０１６において、装置は、図６のブロック６０８に関して記述されたのと同様に、インタラクション動作の実行をさせる。
【０１１８】
図１１は、少なくとも１つの例示的実施形態にしたがう、偏位平面手首入力と関連する活動を図示するフローチャートである。少なくとも１つの例示的実施形態において、図１１の動作と関連する動作のセットが存在する。装置、たとえば、図１の電子装置１０、または、その部分は、その動作のセットを利用することができる。この装置は、たとえば、図１のプロセッサ１１など、そのような動作の実行のためを含む手段を備えることができる。例示的実施形態において、装置、たとえば、図１の電子装置１０は、プロセッサ、たとえば、図１のプロセッサ１１などと協働して、その装置に、図１１の動作のセットを実行させるように構成されたコンピュータ・コードを備えるメモリ、たとえば、図１のメモリ１２を有することによって変換される。
【０１１９】
ブロック１１０２において、装置は、イベントが起こったと判断する。その決定、イベント、および、その発生は、図５Ａ−図５Ｃに関して記述されたものと同様でありえる。ブロック１１０４において、装置は、イベントを意味する通知インタフェース要素の表示をユーザの手首の上で方向付けされるように構成されるディスプレイ上にさせる。ディスプレイにさせること、通知インタフェース要素、および、方向は、図４Ａ−図４Ｂ、図５Ａ−図５Ｂ、および／または、その他に関して記述されたものと同様でありえる。
【０１２０】
ブロック１１０６において、装置は、図６のブロック６０６に関して記述されたのと同様に、少なくとも部分的に、インタフェース要素、および、偏位平面方向に対応するインタラクション方向に基づいて、インタラクション動作を決定する。ブロック１１０８において、装置は、図１０のブロック１００６に関して記述されたのと同様に、少なくとも部分的には、偏位平面方向に基づいて、通知インタフェース要素の表示を終了させる。
【０１２１】
ブロック１１１０において、装置は、少なくとも１つのインタフェース要素の表示をさせる。そのインタフェース要素は、少なくとも部分的には、通知インタフェース要素に基づくことができる。たとえば、通知インタフェース要素は、図５のインタフェース要素５０２に関係することができ、そして、インタフェース要素は、図５Ｂのインタフェース要素５１３に関係することができる。このように、異なるインタフェース要素が、その通知インタフェース要素に結びついたメニュー項目に関係することができる。
【０１２２】
ブロック１１１２において、その装置は、図８のブロック８０４に関して記述されたのと同様に、中立偏位平面手首入力を示す情報を受信する。ブロック１１１４において、その装置は、別の偏位平面方向における身体運動を示す異なる偏位平面手首入力を示す情報を受信する。異なる偏位平面手首入力、および、他の偏位平面方向は、図３Ａ−図３Ｅ、図４Ａ−図４Ｂ、および／または、その他に関して記述されたものと同様でありえる。
【０１２３】
ブロック１１１６において、装置は、少なくとも部分的には、異なるインタフェース要素、および、偏位平面方向に対応するインタラクション方向に基づいて、インタラクション動作を決定する。その決定、インタラクション動作、および、インタラクション方向は、図４Ａ−図４Ｂ、図５Ａ−図５Ｃ、および／または、その他に関して記述されたものと同様でありえる。ブロック１１１８において、装置は、図６のブロック６０８に関して記述されたのと同様に、インタラクション動作の実行をさせる。
【０１２４】
図１２は、少なくとも１つの例示的実施形態にしたがう、偏位平面手首入力と関連する活動を図示するフローチャートである。少なくとも１つの例示的実施形態において、図１２の動作と関連する動作のセットが存在する。装置、たとえば、図１の電子装置１０、または、その部分は、その動作のセットを利用することができる。この装置は、たとえば、図１のプロセッサ１１など、そのような動作の実行のためを含む手段を備えることができる。例示的実施形態において、装置、たとえば、図１の電子装置１０は、プロセッサ、たとえば、図１のプロセッサ１１などと協働して、その装置に、図１２の動作のセットを実行させるように構成されたコンピュータ・コードを備えるメモリ、たとえば、図１のメモリ１２を有することによって変換される。
【０１２５】
ブロック１２０２において、図１１のブロック１１０２に関して記述されたのと同様に、装置は、イベントが起こったと判断する。ブロック１２０４において、装置は、イベントを意味する通知インタフェース要素の表示を図１１のブロック１１０４に関して記述されたのと同様に、ユーザの手首の上で方向付けされるように構成されるディスプレイ上にさせる。
【０１２６】
ブロック１２０６において、その装置は、偏位平面より下で、偏位平面方向の、手首屈曲運動を示す偏位平面手首入力を示す情報を受信する。偏位平面手首入力、手首屈曲運動、および、偏位平面方向は、図３Ａ−図３Ｅ、図４Ａ−図４Ｂ、および／または、その他に関して記述されたものと同様でありえる。
【０１２７】
ブロック１２０８において、装置は、図１０のブロック１００６に関して記述されたのと同様に、少なくとも部分的には、偏位平面方向に基づいて、通知インタフェース要素の表示を終了させる。
【０１２８】
ブロック１２１０において、装置は、偏位平面方向に基づいて上部インタフェース要素の表示をさせる。例えば、通知インタフェース要素は、図５のインタフェース要素５０２に関係することができ、および、上部インタフェース要素は、図５Ｂのインタフェース要素５１３に関係することができる。このように、上部インタフェース要素は、その通知インタフェース要素に結びついたメニュー項目に関係することができる。
【０１２９】
ブロック１２１２において、装置は、偏位平面方向に基づいて下部インタフェース要素の表示をさせる。例えば、通知インタフェース要素は、図５のインタフェース要素５０２に関係することができ、下部インタフェース要素は、図５Ｂのインタフェース要素５１２に関係することができる。このように、下部インタフェース要素は、その通知インタフェース要素に結びついたメニュー項目に関係することができる。
【０１３０】
ブロック１２１４において、その装置は、図８のブロック８０４に関して記述されたのと同様に、中立偏位平面手首入力を示す情報を受信する。
【０１３１】
ブロック１２１６において、その装置は、異なる偏位平面方向の身体運動を示す異なる偏位平面手首入力を示す情報を受信する。異なる偏位平面手首入力、身体運動は、および、異なる偏位平面方向は、図３Ａ−図３Ｅ、図４Ａ−図４Ｂ、および／または、その他に関して記述されたものと同様でありえる。
【０１３２】
ブロック１２１８において、装置は、偏位平面方向は、橈側方向に関係するか否かを決定する。装置が、偏位平面方向は、橈側方向に関係すると判断するならば、処理の流れは、ブロック１２２０に進む。装置が、偏位平面方向は、橈側方向に関係することができないと判断するならば、処理の流れは、ブロック１２２２に進む。ブロック１２２０において、装置は、下部インタフェース要素の選択の実行をさせる。この選択の実行は、図５Ａ−図５Ｃに関して記述されたものと同様でありえる。このように、下部インタフェース要素の選択は、少なくとも部分的には、橈側方向にある偏位平面方向に基づくことができる。処理の流れは、ブロック１２０２に戻ることができる。
【０１３３】
ブロック１２２２において、装置は、偏位平面方向は、尺骨方向に関するものであるか否かを決定する。装置が、偏位平面方向は、尺骨方向に関するものであると判断するならば、処理の流れは、ブロック１２２４に進む。装置が、偏位平面方向は、尺骨方向に関係することができないと判断するならば、処理の流れは、ブロック１２１６に戻る。
【０１３４】
ブロック１２２４において、装置は、上部インタフェース要素の選択の実行をさせる。この選択の実行は、図５Ａ−図５Ｃに関して記述されたものと同様でありえる。このように、上部インタフェース要素の選択は、少なくとも部分的には、尺骨方向である偏位平面方向に基づくことができる。処理の流れは、ブロック１２０２に戻ることができる。
【０１３５】
本願発明の実施形態を、ソフトウェア、ハードウェア、アプリケーション・ロジック、または、ソフトウェア、ハードウェア、および、アプリケーション・ロジックの組合せで、インプリメントすることができる。このソフトウェア、アプリケーション・ロジックおよび・またはハードウェアは、その装置、別々のデバイス、または、複数の別々のデバイスの上にあることができる。必要に応じて、ソフトウェア、アプリケーション・ロジックやハードウェアの部分は、その装置の上にあることができる。ソフトウェア、アプリケーション・ロジックやハードウェアの部分は、分離したデバイスの上にあることができる。また、ソフトウェア、アプリケーション・ロジックやハードウェアの部分は、複数の分離したデバイスの上にあることができる。例示的実施形態において、アプリケーション・ロジック、ソフトウェア、または、命令セットは、種々の従来のコンピュータ読取り可能メディアのいずれか１つの上で維持される。
【０１３６】
必要に応じて、ここに議論される異なる機能を、互いに、異なる順序で、および／または、並行して実行することができる。例えば、図１２のブロック１２０８は、ブロック１２１０の後に、実行されることができる。更にまた、必要に応じて、上記の機能のうちの１つ以上は、オプションでありえる、または、結合されることができる。例えば、図１２のブロック１２１４は、オプションでありえ、および／または、ブロック１２１６と組み合わせることができる。
【０１３７】
本願発明の種々の態様が、独立形式の請求項において述べられたけれども、本願発明の他の態様は、記述された実施形態や、独立形式の請求項の特徴を有する従属する請求項からの特徴の他の組合せを含み、また、請求項において単に明示的に述べられる組合せだけではない。
【０１３８】
本願発明の例の実施形態を上で記述しているが、これらの記載は、限定的なものと見られてはならないことにも、また、留意する。むしろ、添付の請求項において規定されるように、本願発明の範囲から離れることなく、つくることができるバリエーションや修正が存在する。
【図１】
2018116730.tif 000003
【図２】
2018116730.tif 000004
【図３Ａ】
2018116730.tif 000005
【図３Ｂ】
2018116730.tif 000006
【図３Ｃ】
2018116730.tif 000007
【図３Ｄ】
2018116730.tif 000008
【図３Ｅ】
2018116730.tif 000009
【図４Ａ】
2018116730.tif 000010
【図４Ｂ】
2018116730.tif 000011
【図５Ａ】
2018116730.tif 000012
【図５Ｂ】
2018116730.tif 000013
【図５Ｃ】
2018116730.tif 000014
【図６】
2018116730.tif 000015
【図７】
2018116730.tif 000016
【図８】
2018116730.tif 000017
【図９】
2018116730.tif 000018
【図１０】
2018116730.tif 000019
【図１１】
2018116730.tif 000020
【図１２】
2018116730.tif 000021
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、コンピュータ・プログラム・コードを含む少なくとも１つのメモリと、１つ以上のセンサとを備える装置であって、
該メモリおよび該コンピュータ・プログラム・コードは、前記プロセッサと共に動作して、前記１つ以上のセンサを用いて、前記装置に、少なくとも、
少なくとも１つのインタフェース要素を、ディスプレイの上に表示をさせるステップであって、該ディスプレイは、該ディスプレイの上部がユーザの尺骨に近接し、該ディスプレイの下部が該ユーザの橈骨に近接しているように該ユーザの手首の上で方向付けされるように構成される、ステップと、
前記ユーザの同一手首の前の手または指の運動を示す情報を受信するステップであって、該手または指の運動は、回外運動、回内運動、尺骨方向運動、橈側方向運動、尺骨偏位運動、橈側偏位運動、伸展運動、屈曲運動、外転運動、内転運動、および、ハイパー伸展運動のうちの１つである、ステップと、
少なくとも部分的には、前記インタフェース要素および、手または指の運動に対応するインタラクション方向に基づいて、インタラクション動作を決定するステップと、
前記インタラクション動作の実行をさせるステップと
を実行させるように構成される、
装置。
【請求項２】
前記ユーザの同一手首の前の手または指の前記運動は、偏位平面の平面方向におけるものであり、
前記偏位平面は、前記手首の回外運動に関係なく、前記手首の回内運動に関係なく、前記手首の橈側偏位および前記手首の尺側偏位に位置合わせされている、
請求項１に記載の装置。
【請求項３】
前記ユーザの同一手首の前の手または指の前記運動は、偏位平面の平面方向におけるものであり、
前記メモリが、前記プロセッサと協働して、前記装置に、少なくとも部分的には、前記偏位平面の平面方向に基づいて、インタラクション方向を決定するステップを実行させるように構成されたコンピュータ・プログラム・コードを含む、請求項１に記載の装置。
【請求項４】
偏位平面手首入力は、前記ユーザの同一手首の前の偏位平面の平面方向における手または指の運動を示すものであり、
前記メモリが、前記プロセッサと協働して、前記装置に、中立な偏位平面手首入力を示す情報の受信を実行させるように構成されたコンピュータ・プログラム・コードを含む、請求項１に記載の装置。
【請求項５】
偏位平面手首入力は、前記ユーザの同一手首の前の偏位平面の平面方向における手または指の運動を示すものであり、
前記メモリが、前記プロセッサと協働して、前記装置に、
前記インタフェース要素と異なる、少なくとも１つのインタフェース要素の表示をさせるステップと、
前記偏位平面手首入力と異なる偏位平面手首入力を示す情報を受信するステップであって、前記インタフェース要素は、少なくとも部分的には、前記異なるインタフェース要素、および、前記異なる偏位平面手首入力に基づいて決定される、ステップと、
少なくとも部分的には、前記異なる偏位平面手首入力に基づいて、前記異なるインタフェース要素の表示を終了させるステップであって、前記インタフェース要素の表示をさせることは、少なくとも部分的には、前記異なる偏位平面手首入力に基づく、ステップと、
を実行させるように構成されたコンピュータ・プログラム・コードを含む、請求項１に記載の装置。
【請求項６】
前記メモリが、前記プロセッサと協働して、前記装置に、
イベントが起こったと判断するステップであって、前記異なるインタフェース要素は、前記イベントの発生の通知に関する、ステップ
を実行させるように構成されたコンピュータ・プログラム・コードを含む、
請求項５に記載の装置。
【請求項７】
偏位平面手首入力は、前記ユーザの同一手首の前の偏位平面の平面方向における手または指の運動を示すものであり、
前記メモリは、前記プロセッサと協働して、前記装置に、前記インタフェース要素より下の別のインタフェース要素の表示をさせるステップを実行させるように構成されたコンピュータ・プログラム・コードを含み、
前記偏位平面手首入力の方向は、尺骨の方向に関するものであり、前記インタラクション方向は、上向き方向に関するものであり、前記インタラクション動作は、前記インタフェース要素の選択に関するものである、
請求項１に記載の装置。
【請求項８】
前記インタラクション動作の決定は、前記インタフェース要素が、前記インタラクション方向に対応するとの判断を含む、請求項１に記載の装置。
【請求項９】
前記装置は、前記ディスプレイを備える、請求項１に記載の装置。
【請求項１０】
少なくとも１つのプロセッサと、コンピュータ・プログラム・コードを含む少なくとも１つのメモリと、１つ以上のセンサと、を備える装置のための方法であって、
前記少なくとも１つのプロセッサと、前記１つ以上のセンサを用い、
少なくとも１つのインタフェース要素を、ディスプレイの上に表示をさせるステップであって、該ディスプレイは、該ディスプレイの上部がユーザの尺骨に近接し、該ディスプレイの下部が該ユーザの橈骨に近接しているように該ユーザの手首の上で方向付けされるように構成される、ステップと、
前記ユーザの同一手首の前の手または指の運動を示す情報を受信するステップであって、該手または指の運動は、回外運動、回内運動、尺骨方向運動、橈側方向運動、尺骨偏位運動、橈側偏位運動、伸展運動、屈曲運動、外転運動、内転運動、および、ハイパー伸展運動のうちの１つである、ステップと、
少なくとも部分的には、前記インタフェース要素および、手または指の運動に対応するインタラクション方向に基づいて、インタラクション動作を決定するステップと、
前記インタラクション動作の実行をさせるステップと、
を含む、方法。
【請求項１１】
前記ユーザの同一手首の前の手または指の前記運動は、偏位平面の平面方向におけるものであり、
前記偏位平面は、前記手首の回外運動に関係なく、および、前記手首の回内運動に関係なく、前記手首の橈側偏位および前記手首の尺側偏位に位置合わせされている、請求項１０に記載の方法。
【請求項１２】
前記ユーザの同一手首の前の手または指の前記運動は、偏位平面の平面方向におけるものであり、
少なくとも部分的には、前記偏位平面の平面方向に基づいて、インタラクション方向を決定するステップを更に含む請求項１０に記載の方法。
【請求項１３】
偏位平面手首入力は、前記ユーザの同一手首の前の偏位平面の平面方向における手または指の運動を示すものであり、
中立な偏位平面手首入力を示す情報を受信するステップを更に含む請求項１０に記載の方法。
【請求項１４】
偏位平面手首入力は、前記ユーザの同一手首の前の偏位平面の平面方向における手または指の運動を示すものであり、
前記インタフェース要素と異なる、少なくとも１つの異なるインタフェース要素の表示をさせるステップと、
前記偏位平面手首入力と異なる、異なる偏位平面手首入力を示す情報を受信するステップであって、前記インタフェース要素は、少なくとも部分的には、前記異なるインタフェース要素、および、前記異なる偏位平面手首入力に基づいて決定される、ステップと、
少なくとも部分的には、前記異なる偏位平面手首入力に基づいて、前記異なるインタフェース要素の表示を終了させるステップであって、前記インタフェース要素の表示をさせるステップは、少なくとも部分的には、前記異なる偏位平面手首入力に基づく、ステップと、
を更に含む、請求項１０に記載の方法。
【請求項１５】
イベントが起こったと判断するステップであって、前記異なるインタフェース要素は、前記イベントの発生の通知に関する、ステップを更に含む、請求項１４に記載の方法。
【請求項１６】
偏位平面手首入力は、前記ユーザの同一手首の前の偏位平面の平面方向における手または指の運動を示すものであり、
前記インタフェース要素より下の別のインタフェース要素の表示をさせるステップを更に含み、
前記偏位平面手首入力の方向は、尺骨の方向に関するものであり、前記インタラクション方向は、上向き方向に関するものであり、および、前記インタラクション動作は、前記インタフェース要素の選択に関するものである、
請求項１０に記載の方法。
【請求項１７】
少なくとも１つのプロセッサと、コンピュータ・プログラム・コードを含む少なくとも１つのメモリと、１つ以上のセンサと、を備える装置のためのコンピュータ・プログラムであって、
前記少なくとも１つのプロセッサによりで実行されるとき、前記センサを用いて、
少なくとも１つのインタフェース要素を、ディスプレイの上に表示をさせるステップであって、該ディスプレイは、該ディスプレイの上部がユーザの尺骨に近接し、該ディスプレイの下部が該ユーザの橈骨に近接しているように該ユーザの手首の上で方向付けされるように構成される、ステップと、
前記ユーザの同一手首の前の手または指の運動を示す情報を受信するステップであって、該手または指の運動は、回外運動、回内運動、尺骨方向運動、橈側方向運動、尺骨偏位運動、橈側偏位運動、伸展運動、屈曲運動、外転運動、内転運動、および、ハイパー伸展運動のうちの１つである、ステップと、
少なくとも部分的には、前記インタフェース要素および、手または指の運動に対応するインタラクション方向に基づいて、インタラクション動作を決定するステップと、
前記インタラクション動作の実行をさせるステップと
を実行する命令を符号化したコンピュータ・プログラム。
【請求項１８】
前記ユーザの同一手首の前の手または指の前記運動は、偏位平面の平面方向におけるものであり、
前記偏位平面は、前記手首の回外運動に関係なく、また、前記手首の回内運動に関係なく、前記手首の橈側偏位および前記手首の尺側偏位に位置合わせされている、請求項１７に記載のコンピュータ・プログラム。
【請求項１９】
前記ユーザの同一手首の前の手または指の前記運動は、偏位平面の平面方向におけるものであり、
更に、プロセッサにより実行されるとき、少なくとも部分的には、前記偏位平面の平面方向に基づいて、インタラクション方向の決定を実行する命令を符号化した、請求項１７に記載のコンピュータ・プログラム。
【請求項２０】
偏位平面手首入力は、前記ユーザの同一手首の前の偏位平面の平面方向における手または指の運動を示すものであり、
更に、プロセッサにより実行されるとき、中立な偏位平面手首入力を示す情報の受信を実行する命令を符号化した、請求項１７に記載のコンピュータ・プログラム。
【外国語明細書】
2018116730000001.pdf